【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段を備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、情報を記憶可能な第１記憶領域と情報を記憶可能な第２記憶領域とを少なくとも有する記憶手段、及び所定のテーブルを備え、
前記所定のテーブルには、第１記憶領域のアドレスを特定可能な情報と第２記憶領域のアドレスを特定可能な情報とが少なくとも記憶されており、
所定の条件を満たしたことに基づいて、前記所定のテーブルを用いて複数のコマンドを生成可能に構成されている
ことを特徴とする遊技機。
【請求項２】
遊技の進行を制御するメイン制御手段を備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、
特別遊技状態において特別役物が作動しているときに実行される割込み処理では、特別遊技状態であり、かつ、特別役物が作動していることを示す試験信号を出力するための処理を実行可能とし、
特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、情報を記憶可能な第１記憶領域と情報を記憶可能な第２記憶領域とを少なくとも有する記憶手段を備え、
第１記憶領域の第１アドレスと第２記憶領域の第２アドレスとは連続しており、
所定の条件を満たしたことに基づいて、第１記憶領域に記憶されている情報に基づいたコマンドと、第２記憶領域に記憶されている情報に基づいたコマンドとを少なくとも生成可能に構成されている
ことを特徴とする遊技機。
【手続補正２】
【補正対象書類名】明細書
【補正対象項目名】０００１
【補正方法】変更
【補正の内容】
【０００１】
本発明は、特別遊技状態において待機処理を実行する遊技機に関するものである。
【手続補正３】
【補正対象書類名】明細書
【補正対象項目名】０００２
【補正方法】変更
【補正の内容】
【０００２】
従来より、たとえばＢＢ等の特別役に当選したときに遊技の進行を停止し（待機処理）、この待機処理中に特別役当選報知を行うことが知られている（たとえば、特許文献１参照）。
【手続補正４】
【補正対象書類名】明細書
【補正対象項目名】０００３
【補正方法】変更
【補正の内容】
【０００３】
【特許文献１】特開２０００−０６１０３４号公報
【手続補正５】
【補正対象書類名】明細書
【補正対象項目名】０００４
【補正方法】変更
【補正の内容】
【０００４】
本発明が解決しようとする課題は、特別遊技状態において特別役物の作動を繰り返す仕様の遊技機において、特別役物の作動終了を明確にした試験信号を出力可能とすることである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
請求項１の発明は、
遊技の進行を制御するメイン制御手段（メイン制御基板６０）を備え、
前記メイン制御手段は、
特別遊技状態の開始条件を満たした（１ＢＢに当選し、１ＢＢが入賞した）ことに基づいて、特別遊技状態（１ＢＢ遊技）を開始するように制御し、
特別遊技状態では、特別役物（ＲＢ）の作動を可能とし、
特別遊技状態の終了条件を満たしていない場合において、特別役物の終了条件を満たしたときは特別役物の作動を終了し、所定期間（５割込みに相当する時間（１１．１７５ｍｓ））の待機処理（２バイト時間待ち処理（R_2BYTE_WAIT））を実行した後に、再度、特別役物の作動を開始可能とし、
前記メイン制御手段は、前記所定期間において割込み処理（I_INTR）を実行可能とし、
前記メイン制御手段は、
特別遊技状態において特別役物が作動しているときに実行される割込み処理では、特別遊技状態であり、かつ、特別役物が作動していることを示す試験信号（「０００１１０００」）を出力するための処理を実行可能とし、
特別遊技状態において特別役物が作動していない前記所定期間で実行される割込み処理では、特別遊技状態であり、かつ、特別役物が作動していないことを示す試験信号（「００００１０００」）を出力するための処理を実行可能とし、
前記メイン制御手段は、情報を記憶可能な第１記憶領域（たとえば、アドレス「Ｆ０８Ｆ」のメイン遊技状態（_NB_GAM_STS ））と情報を記憶可能な第２記憶領域（たとえば、アドレス「Ｆ０９９」の前兆カウンタ、ＡＴカウンタ（_CT_GAM_STS ））とを少なくとも有する記憶手段（ＲＷＭ６１）、及び所定のテーブル（コマンド送信テーブル１又はコマンド送信テーブル２）を備え、
前記所定のテーブルには、第１記憶領域のアドレスを特定可能な情報（たとえば、コマンド送信テーブル１のアドレス「１Ｄ２６」におけるメイン遊技状態（_NB_GAM_STS ）の下位アドレス「８ＦＨ」）と第２記憶領域のアドレスを特定可能な情報（たとえば、コマンド送信テーブル１のアドレス「１Ｄ２８」における前兆カウンタ、ＡＴカウンタ（_CT_GAM_STS ）の下位アドレス「９９Ｈ」）とが少なくとも記憶されており、
所定の条件を満たしたこと（図４１中、ステップＳ４８で「Ｙｅｓ」と判断され（スタートスイッチ４１が操作され）、ステップＳ５９（制御コマンド連続セット）に進んだとき）に基づいて、前記所定のテーブルを用いて複数のコマンド（たとえば、メイン遊技状態のコマンド「６０＃＃Ｈ」と、前兆カウンタ、ＡＴカウンタのコマンド「６１＃＃Ｈ」）を生成可能に構成されている
ことを特徴とする。
また、請求項２の発明は、
遊技の進行を制御するメイン制御手段（メイン制御基板６０）を備え、
前記メイン制御手段は、
特別遊技状態の開始条件を満たした（１ＢＢに当選し、１ＢＢが入賞した）ことに基づいて、特別遊技状態（１ＢＢ遊技）を開始するように制御し、
特別遊技状態では、特別役物（ＲＢ）の作動を可能とし、
特別遊技状態の終了条件を満たしていない場合において、特別役物の終了条件を満たしたときは特別役物の作動を終了し、所定期間（５割込みに相当する時間（１１．１７５ｍｓ））の待機処理（２バイト時間待ち処理（R_2BYTE_WAIT））を実行した後に、再度、特別役物の作動を開始可能とし、
前記メイン制御手段は、前記所定期間において割込み処理（I_INTR）を実行可能とし、
前記メイン制御手段は、
特別遊技状態において特別役物が作動しているときに実行される割込み処理では、特別遊技状態であり、かつ、特別役物が作動していることを示す試験信号（「０００１１０００」）を出力するための処理を実行可能とし、
特別遊技状態において特別役物が作動していない前記所定期間で実行される割込み処理では、特別遊技状態であり、かつ、特別役物が作動していないことを示す試験信号（「００００１０００」）を出力するための処理を実行可能とし、
前記メイン制御手段は、情報を記憶可能な第１記憶領域（たとえば、アドレス「Ｆ０Ｂ８」の押し順指示番号（_NB_ORD_INF ））と情報を記憶可能な第２記憶領域（たとえば、アドレス「Ｆ０Ｂ７」の演出グループ番号（_NB_ACT_GRP ））とを少なくとも有する記憶手段（ＲＷＭ６１）を備え、
第１記憶領域の第１アドレスと第２記憶領域の第２アドレスとは連続しており、
所定の条件を満たしたこと（図４１中、ステップＳ４８で「Ｙｅｓ」と判断され（スタートスイッチ４１が操作され）、ステップＳ５９（制御コマンド連続セット）に進んだとき）に基づいて、第１記憶領域に記憶されている情報に基づいたコマンド（たとえば、押し順指示番号のコマンド「３９＃＃Ｈ」）と、第２記憶領域に記憶されている情報に基づいたコマンド（たとえば、演出グループ番号のコマンド「３Ａ＃＃Ｈ」）とを少なくとも生成可能に構成されている
ことを特徴とする。
【手続補正７】
【補正対象書類名】明細書
【補正対象項目名】０００６
【補正方法】変更
【補正の内容】
【０００６】
本発明によれば、待機処理を用いて、特別役物の非作動を明確に示す試験信号を（試験機等に）送信することができる。